(57)【特許請求の範囲】
【請求項１】
検出部を内蔵するケースの一面を測定対象物への取付面とし、この取付面を測定対象物に接着固定して振動を検出する振動センサにおいて、前記取付面に前記ケースの端部を貫通するねじ孔を設け、このねじ孔にボルトをねじ込んでボルトの先端を測定対象物に突き当てることにより測定対象物から取り外すことを特徴とする振動センサ。
【請求項２】
前記ねじ孔の前記取付面側開口部の周辺に逃げ部を設けた請求項１記載の振動センサ。
【発明の詳細な説明】
【０００１】
【発明の属する技術分野】
本発明は、測定対象物に接着固定して振動を検出する振動センサに関する。
【０００２】
【従来の技術】
従来、測定対象物に接着剤などにより接着固定して振動を検出する振動センサを測定対象物から取り外す方法としては、振動センサの側面をスパナで挟んで捩り取る方法、振動センサの測定対象物との接着面に形成された隙間にドライバを差し込んで剥離させる方法、接着面を加熱して接着剤を劣化させ接着力を低下させた後に工具を用いて取り外す方法、専用取り外し工具を用いて取り外す方法などが行われている。
【０００３】
【発明が解決しようとする課題】
しかし、従来の方法においては、振動センサの側面に傷が付き外観が著しく損われたり、取り付け面が変形して振動センサの性能に影響を及ぼしたりする不具合が発生する虞がある。
また、狭い空間に振動センサを接着固定した場合には、取り外し用の工具が使用できない場合がある。
更に、専用取り外し工具を用意しなければならないため、使い勝手が悪い。
【０００４】
本発明は、従来の技術が有するこのような問題点に鑑みてなされたものであり、その目的とするところは、外観形状が傷付くことなく測定対象物から容易にかつ速やかに取り外せる振動センサを提供しようとするものである。
【０００５】
【課題を解決するための手段】
上記課題を解決すべく請求項１に係る発明は、検出部を内蔵するケースの一面を測定対象物への取付面とし、この取付面を測定対象物に接着固定して振動を検出する振動センサにおいて、前記取付面に前記ケースの端部を貫通するねじ孔を設け、このねじ孔にボルトをねじ込んでボルトの先端を測定対象物に突き当てることにより測定対象物から取り外すものである。
【０００６】
請求項２に係る発明は、請求項１記載の振動センサにおいて、前記ねじ孔の前記取付面側開口部の周辺に逃げ部を設けたものである。
【０００７】
【発明の実施の形態】
以下に本発明の実施の形態を添付図面に基づいて説明する。ここで、図１は本発明を適用した圧電式加速度ピックアップの斜視図、図２は測定対象物に接着固定した圧電式加速度ピックアップの側面図、図３は作用説明図、図４乃至図６は別実施の形態の側面図（ａ）と正面図（ｂ）である。
【０００８】
本発明を適用した圧電式加速度ピックアップ１は、図１及び図２に示すように、略直方体形状に形成されたケース２と、ケース２に内蔵されケース２の３方向（Ｘ，Ｙ，Ｚ）の側面２ａ，２ｂ及び上面２ｃに夫々露出して設けられた検出部３，４，５を備えている。
また、ケース２は、上面２ｃと、上面２ｃに平行で測定対象物６に接着固定する底面（取付面）２ｄとを垂直に貫通するねじ孔７を、検出部３，４，５を避けるようにして端部の２箇所に設けている。
【０００９】
検出部３，４，５は、図示しないベース部材に接着固定された圧電素子と、圧電素子に接着固定された錘から構成されている。
なお、８は検出部３，４，５が夫々加速度の大きさに応じて出力する電気信号を取り出すためのレセプタクル、９は圧電式加速度ピックアップ１を測定対象物６に接着固定するシアノアクリレート系やエポキシ系などの接着剤である。
【００１０】
以上のように構成した圧電式加速度ピックアップ１を測定対象物６から取り外す動作について説明する。
図３に示すように、ねじ孔７に螺合し、且つＺ方向のケース２の厚さよりも長くねじ山を切った六角穴付きボルトなどのボルト１０を用意する。
【００１１】
先ず、ボルト１０を一方のねじ孔７にボルト１０の先端が測定対象物６に突き当たるまで矢印Ａ方向にねじ込む。次いで、他方のねじ孔７にもボルト１０の先端が測定対象物６に突き当たるまで矢印Ａ方向にボルト１０をねじ込む。
更に、２本のボルト１０を交互にねじ込むと、ケース２が矢印Ｂ方向に持ち上がろうとしてケース２の取付面２ｄと接着剤９との間、又は接着剤９と測定対象物６との間に割裂力が発生する。
【００１２】
そして、前記割裂力が接着剤９の接着強度を上回るとケース２が測定対象物６から徐々に剥離して圧電式加速度ピックアップ１を測定対象物６から容易に取り外すことができる。この際、ねじ孔７のねじ山とボルト１０のねじ山には、力が掛るものの、ケース２の外面には一切傷が付かない。
【００１３】
このように、本発明に係る圧電式加速度ピックアップ１によれば、スパナ等の取り外し工具が使用できない狭い空間に接着固定した場合であっても、ボルト１０を六角レンチ等の工具でねじ込むことができる程度の空間があれば容易に取り外すことができる。
従って、従来では取り外しが無理であるとの理由によって接着固定しないとされていた箇所にも圧電式加速度ピックアップ１を接着固定し、加速度の測定が可能になる。
【００１４】
次に、本発明を適用した圧電式加速度ピックアップの別実施の形態について、図４乃至図６により説明する。
図４に示す圧電式加速度ピックアップ１１は、取付面２ｄと２つのねじ孔７の開口部７ａとの間に段差が生じるように、ねじ孔７の開口部７ａの周辺に逃げ部１２を設けている。逃げ部１２は、ねじ孔７の径よりも大きい幅で側面２ａから側面２ａに平行な側面に至る段部で、２つのねじ孔７の開口部７ａを通してＸ方向に形成されている。
【００１５】
図５に示す圧電式加速度ピックアップ２１も、取付面２ｄと２つのねじ孔７の開口部７ａとの間に段差が生じるように、２つのねじ孔７の開口部７ａの周辺に逃げ部２２，２２を設けている。逃げ部２２，２２は、ねじ孔７の径よりも大きい座ぐり状の大径穴で、２つのねじ孔７の開口部７ａの回りに夫々形成されている。
【００１６】
図６に示す圧電式加速度ピックアップ３１も、取付面２ｄと２つのねじ孔７の開口部７ａとの間に段差が生じるように、ケース２の角部であって２つのねじ孔７の開口部７ａの周辺に逃げ部３２，３２を設けている。逃げ部３２，３２は、ねじ孔７の径よりも大きい切欠き状の段部で、２つのねじ孔７の開口部７ａの回りに夫々形成されている。
【００１７】
このように、ケース２の取付面２ｄに逃げ部１２，２２，３２を設けることにより、取付面２ｄ又は測定対象物６に接着剤９を塗布して圧電式加速度ピックアップ１１，２１，３１を測定対象物６に接着固定する際に、接着剤９がねじ孔７の内部に入り込む可能性が低くなるので、取り外す際にボルト１０を円滑にねじ孔７にねじ込むことができる。
なお、圧電式加速度ピックアップ１１，２１，３１を測定対象物６から取り外す動作については、図３に示す場合と同様である。
【００１８】
上述の発明の実施の形態においては、ケース２の端部にねじ孔７を２つ形成した場合について説明した。しかし、ねじ孔７の数は、ケース２の取付面２ｄの測定対象物６に対する接着面積やねじ孔７の径（ボルト１０の外径）などに応じて決定される。従って、ねじ孔７の数は、１つでもよいし、複数でもよい。
【００１９】
また、ねじ孔７は、ケース２の取付面２ｄに垂直に貫通する必要はなく傾いていてもよい。更に、ねじ孔７に螺合するボルト１０の先端が測定対象物６に突き当たるならば、ねじ孔７は取付面２ｄに貫通する必要はなく側面２ａ，２ｂに貫通してもよい。
【００２０】
また、上述の発明の実施の形態においては、本発明を３方向の圧電式加速度ピックアップに適用した場合について説明した。しかし、検出方向は３方向に限定されない。例えば単方向であってもよいし、２方向であってもよい。
また、振動成分としては、加速度に限らず、変位、速度等であってもよい。更に、検出素子としては、圧電素子に限らず、その他の例えば、歪みゲージや動電形検出素子などであってもよい。
【００２１】
【発明の効果】
以上説明したように請求項１に係る発明によれば、ケースの外面を傷付けることなく、測定対象物から容易に振動センサを取り外すことができる。
また、スパナ等の取り外し工具の使用が困難な狭い空間に接着固定した場合でも、ボルトをねじ込むことができる程度の空間があれば容易に振動センサを取り外すことができる。
【００２２】
請求項２に係る発明によれば、ねじ孔の開口部の周辺に逃げ部を設けたことにより、取付面又は測定対象物に接着剤を塗布して測定対象物に接着固定する際に、接着剤がねじ孔の内部に入り込む可能性が低くなるので、取り外す際にボルトを円滑にねじ孔にねじ込むことができる。
【図面の簡単な説明】
【図１】本発明を適用した圧電式加速度ピックアップの斜視図
【図２】測定対象物に接着固定した圧電式加速度ピックアップの側面図
【図３】作用説明図
【図４】本発明の別実施の形態の側面図（ａ）と正面図（ｂ）
【図５】本発明の別実施の形態の側面図（ａ）と正面図（ｂ）
【図６】本発明の別実施の形態の側面図（ａ）と正面図（ｂ）
【符号の説明】
１，１１，２１，３１…圧電式加速度ピックアップ、２…ケース、２ａ，２ｂ…側面、２ｃ…上面、２ｄ…底面（取付面）、３，４，５…検出部、６…測定対象物、７…ねじ孔、７ａ…開口部、９…接着剤、１０…ボルト、１２，２２，３２…逃げ部。
【図１】
0003673867.tif 000002
【図２】
0003673867.tif 000003
【図３】
0003673867.tif 000004
【図４】
0003673867.tif 000005
【図５】
0003673867.tif 000006
【図６】
0003673867.tif 000007